(57)【要約】【課題】 新聞・設計図面等の大型の書類を手に持って広げて読むことができるように綴じ込むことができるうえ、保管・収納時に綴じたままで折畳むこのとできる書類用綴り具を提供する。【解決手段】先端を挟持部１０に形成した上下の横長挟持片部１１、１２の後端を弾性連結片部１３で連結してなる断面横Ｕ字状のクリツプ式綴り具部材１の２個よりなるものであって、前記２個のクリツプ式綴り具部材１、１は互いにスライド自在に嵌合できる断面横Ｕ字状の大きさに形成して組み合わせる。【選択図】 図１
2011083999.tif 000002
【特許請求の範囲】
【請求項１】
先端を挟持部に形成した上下の横長挟持片部の後端を弾性連結片部で連結してなる断面横Ｕ字状のクリツプ式綴り具部材の２個よりなるものであって、前記２個のクリツプ式綴り具部材は互いにスライド自在に嵌合できる断面横Ｕ字状の大きさに形成して組み合わせたことを特徴とする書類用綴り具。
【請求項２】
前記２個の断面横Ｕ字状のクリツプ式綴り具部材を、それぞれの長さが綴じる書類の綴じ代部の長さの１/２より若干短い長さとした請求項１に記載の書類用綴り具。
【請求項３】
前記２個の断面横Ｕ字状のクリツプ式綴り具部材のうち嵌合状態において外側となるクリツプ式綴り具部材の外面に滑り止め加工を施した請求項１又は２に記載の書類用綴り具。
【発明の詳細な説明】
【技術分野】
【０００１】
本発明は、新聞・設計図面等の大型の書類を手に持って広げて読むことができるように綴じ込むことができるうえ、保管・収納時にバラけることなく綴じたままで折畳むこのとできる書類用綴り具に関するものである。
【背景技術】
【０００２】
新聞・設計図面等の大型の書類の両端を両手で把持して広げて読む場合に手手で把持した箇所を中心に上下方向において撓んで読みずらいという問題がある。そこで、大型の書類である新聞の端部を上下方向の全体に亘るホルダーに綴じ込んで、このホルダーにより広げた新聞が撓むことを防止して新聞を読み易いようにしたものがある（例えば、特許文献１参照）。
【０００３】
ところが、前記のようなホルダーは、読み終わった新聞をコンパクトに保管するにはホルダーを軸にして丸めることができるが、ホルダーに綴じたままでは上下において折畳むことのできないもので、鞄等に収納することができないものである。また、ホルダーは大型の書類の端部の上下方向の全体に亘るものであるため、サイズの異なる大きさの書類に汎用できない問題もある。
【先行技術文献】
【特許文献】
【０００４】
【特許文献１】特開２００２−３２６４８３公報
【発明の概要】
【発明が解決しようとする課題】
【０００５】
本発明は前記したような問題を解決して、新聞・設計図面等の大型の書類を手に持って広げて読むことができるように綴じ込むことができるうえ、サイズの異なる大きさの書類に汎用でき、さらには、書類を保管・収納時に綴じたままで折畳むこのとできる書類用綴り具を提供するものである。
【課題を解決するための手段】
【０００６】
前記した課題を解決した本発明の書類用綴り具は、先端を挟持部に形成した上下の横長挟持片部の後端を弾性連結片部で連結してなる断面横Ｕ字状のクリツプ式綴り具部材の２個よりなるものであって、前記２個のクリツプ式綴り具部材は互いにスライド自在に嵌合できる断面横Ｕ字状の大きさに形成して組み合わせたことを特徴とするものを請求項１に記載の発明とする。
【０００７】
そして、請求項１に記載の発明において、前記２個の断面横Ｕ字状のクリツプ式綴り具部材を、それぞれの長さが綴じる書類の綴じ代部の長さの１/２より若干短い長さとした書類用綴り具を請求項２に記載の発明とする。
【０００８】
さらに、請求項１又は２に記載の発明において、前記２個の断面横Ｕ字状のクリツプ式綴り具部材のうち嵌合状態において外側となるクリツプ式綴り具部材の外面に滑り止め加工を施した書類用綴り具を請求項３に記載の発明とする。
【発明の効果】
【０００９】
前記のような請求項１に記載の発明は、２個のクリツプ式綴り具部材を互いにスライド自在に嵌合できる断面横Ｕ字状の大きさに形成したものであるので、新聞・設計図面等の大型の書類の綴り代の長さに合わせて２個のクリツプ式綴り具部材を連結できるので、大型の書類の両端を両手により把持して広げた場合に連結された２個のクリツプ式綴り具部材が一連の芯となり上下方向において撓むことを防止して平面状に保持でき読み易いもとなる。
【００１０】
また、前記したとおり、２個のクリツプ式綴り具部材を互いにスライド自在に嵌合したものであることから、嵌合状態を調整することによりサイズの異なる大きさの書類に汎用できものである。また、連結した２個のクリツプ式綴り具部材の嵌合を解除した状態にして、各クリツプ式綴り具部材を大型の書類の綴り代に分離して綴じれば、綴じた状態で分離した箇所において上下に折畳むことができバラけることなくコンパクトに鞄等に収納・保管できるものである。
【００１１】
さらに、２個のクリツプ式綴り具部材を全体が完全に重なるよう嵌合して、書類の綴じ代のクリツプ式綴り具部材の長さのみを綴じて上下方向に折畳み自在としてもよい。このように２個のクリツプ式綴り具部材を全体が完全に重なるよう嵌合するので使用しない場合にはこの嵌合した状態で纏めて保管することができるものとなる。
【００１２】
また、前記断面横Ｕ字状のクリツプ式綴り具部材を、それぞれの長さが綴じる書類の綴じ代部の長さの１/２より若干短い長さとしたものとすれば、例えば、新聞のように綴じ代部の長さが縦５４６ｍｍとなる一頁の大きさが縦５４６ｍｍ、横４０７ｍｍのものにあっては、クリツプ式綴り具の長さ２５０ｍｍとして、連結した状態で綴じれば２個のクリツプ式綴り具部材が一連の芯となり上下方向において撓むことを防止して平面状に保持でき読み易いものとなる。また、２個のクリツプ式綴り具部材を全体が完全に重なるよう嵌合して、書類の綴じ代の半分のみを綴じて上下方向に折畳み自在として上下方向において二つ折りして、さらに左右方向に二つ折りして略Ａ４版サイズに４つ折りすることができ、電車内で外の乗客の迷惑になることなく読むこともでき、また、鞄等に収納できるものである。
【００１３】
さらには、前記２個の断面横Ｕ字状のクリツプ式綴り具部材のうち嵌合状態において外側となるクリツプ式綴り具部材の外面に滑り止め加工を施したものとすると、外側のクリツプ式綴り具部材を内側のクリツプ式綴り具部材とスライドさせて嵌合状態を調整する場合に把持する際に便宜なものである。
【図面の簡単な説明】
【００１４】
【図１】本発明の実施形態の一使用例を示す切斜視図。
【図２】本発明の実施形態の一使用例を態様を異にして示す斜視図。
【図３】本発明の書類用綴の一使用例を態様を異にして示す斜視図。
【図４】本発明の書類用綴り具の一例を分離して示す一部切欠斜視図。
【図５】本発明の書類用綴り具の一例を連結して示す一部切欠斜視図。
【図６】本発明の実施形態の他の使用例を示す斜視図。
【図７】本発明の実施形態の他の使用例を態様を示す斜視図。
【図８】本発明の書類用綴り具の他例を分離して示す斜視図。
【発明を実施するための形態】
【００１５】
次に、本発明の好ましい実施の形態を図面に基づき説明する。
１は先端を挟持部１０に形成した上下の横長挟持片部１１、１２の後端を弾性連結片部１３で連結してなる断面横Ｕ字状のクリツプ式綴り具部材である。前記クリツプ式綴り具部材１は２個をよりなるものとしている。
【００１６】
そして、この２個のクリツプ式綴り具部材１、１は互いにスライド自在に嵌合できる断面横Ｕ字形状の大きさに形成して組み合わせたものである。すなわち、図４及び図５に示すように、一方のクリツプ式綴り具部材１（１ａ）は内面断面形状を他方のクリツプ式綴り具部材１（１ｂ）の外面断面形状に嵌合できる大きさに形成したもので、両クリツプ式綴り具部材１（１ａ）、（１ｂ）は嵌合した状態で一方のクリツプ式綴り具部材１（１ａ）が他方のクリツプ式綴り具部材１（１ｂ）の外側となるものである。なお、外側となる一方のクリツプ式綴り具部材１（１ａ）の外面に滑りとめ加工を施しておくことが好ましいものである。滑りとめ加工としては、図４及び図５に示すものは一部にセレーション加工を施したしたものであるが、シボ模様を施したものを始め滑り止め効果のあるものであればどのような技術手段であってもよい。
【００１７】
また、前記互いにスライド自在に嵌合できる２個のクリツプ式綴り具部材１、１は図４及び図５に示すものは、一方のクリツプ式綴り具部材１（１ａ）と他方のクリツプ式綴り具部材１（１ｂ）は連結片部１３を湾曲させた構造として扁平卵形の断面横Ｕ字形状としているが、図８に示すように連結片部１０をコ字状の構造として角形の断面横Ｕ字形状としてもよいものである。
【００１８】
また、前記した断面横Ｕ字状のクリツプ式綴り具部材１（１ａ）、１（１ｂ）は、それぞれの長さが綴じる書類の綴じ代部の長さの１/２より若干短い長さとしたものである。図１−３に示すように例えば新聞用紙２の一頁のサイズ（縦５４６ｍｍ、横４０７ｍｍ）ようにで綴じ代部２ａの長さが縦５４６ｍｍとなるものにあっては、クリツプ式綴り具の長さを２５０ｍｍとし、図６に示すようにＡ１サイズの製図用紙３（縦５９４ｍｍ、横８４１ｍｍ）のように綴じ代部３ａの長さが縦５９４ｍｍとなるものにあっては、クリツプ式綴り具部材１（１ａ）、１（１ｂ）の長さを２８０ｍｍとするものである。
【００１９】
このように構成されたものは、２個のクリツプ式綴り具部材１（１ａ）、１（１ｂ）は互いにスライド自在に嵌合できる断面横Ｕ字状の大きさに形成して組み合わせたものであるので、新聞・設計図面等の大型の書類の綴り代の長さに合わせてこの２個のクリツプ式綴り具部材１、１を連結して綴じれば、連結した２個のクリツプ式綴り具部材１、１は芯となり大型の書類を綴り代において上下方向において撓むことなく保持するので、クリツプ式綴り具部材１の下方を手指で把持して広げれば大型の書類は平面的な状態となるものである。なお、この場合に太さが大きい外側となる一方のクリツプ式綴り具部材１（１ａ）を綴り代の下方を綴じるものとして手指で把持すれば把持が容易なものとなる。
【００２０】
また、前記したとおり２個のクリツプ式綴り具部材１（１ａ）、１（１ｂ）を互いにスライド自在に嵌合したものであることから、嵌合長さを調整することにより連結した長さを変更できるのでサイズの異なる大きさの書類に汎用できものである。
【００２１】
なお、外側となる一方のクリツプ式綴り具部材１（１ａ）の外面に滑りとめ加工を施しておくことにより嵌合長さを調整のためにの該クリツプ式綴り具部材１（１ａ）を手指で把持して行うスライド作業が容易なものとなる。
【００２２】
また、前記２個の断面横Ｕ字状のクリツプ式綴り具部材１（１ａ）、１（１ｂ）を、それぞれの長さが綴じる書類の綴じ代部の長さの１/２より若干短い長さとしたものとしている。例えば、新聞のように綴じ代部の長さが縦５４６ｍｍのものにあっては、クリツプ式綴り具の長さ２５０ｍｍとして、図１に示すように連結した状態で綴じれば上下方向において撓むことなく平面状態を保持でき読み易いものとなる。そして、図２に示すようにこの連結を解除して２個のクリツプ式綴り具を綴じ代部の両側に移動させれば上下方向において二つ折りできるものである。これをさらに左右方向に二つ折りして略Ａ４版サイズに４つ折りすることができ、電車内で外の乗客の迷惑になることなく読むこともでき、また、鞄等に収納できるものである。なお、図３に示すように２個のクリツプ式綴り具部材を全体が完全に重なるよう嵌合して、書類の綴じ代の半分のみを綴じて、重ね合わせた２個のクリツプ式綴り具部材１、１の下端で上下方向において二つ折りして、続いて左右方向に二つ折りして略Ａ４版サイズに４つ折りしてもよいものである。
【００２３】
また、例えばＡ１サイズの建築図面３の多数枚を折畳んで保管する場合には、２個の断面横Ｕ字状のクリツプ式綴り具部材１（１ａ）、１（１ｂ）を図７に示すように２個のクリツプ式綴り具部材１，１を書類の綴り代に分離して綴じて、綴じた状態で分離した箇所において上下に折畳むことができコンパクトに鞄等に収納・保管できるものである。
【００２４】
そして、建築現場等において図面を広げて見る場合には図６に示すように折畳んだ図面を広げたうえ２個の断面横Ｕ字状のクリツプ式綴り具部材１（１ａ）、１（１ｂ）をスライドさせて嵌合すれば、クリツプ式綴り具部材１（１ａ）、１（１ｂ）が連結して芯となり図面３を綴り代３ａにおいて撓むことなく平面状態で保持するので、クリツプ式綴り具部材１を手指で把持して広げた場合に撓むことなく見やすいものである。
【００２５】
また、前記したとおり、２個のクリツプ式綴り具部材１、１を互いにスライド自在に嵌合できる断面横Ｕ字状の大きさに形成したものであるので、不使用時には全体を嵌合させた状態で纏めることができるので、保管も容易なものとなる。
【符号の説明】
【００２６】
１（１ａ、１ｂ）  断面横Ｕ字状のクリツプ式綴り具部材
10  挟持部
11  横長挟持片部
12  横長挟持片部
13  弾性連結片部
【図１】
2011083999.tif 000003
【図２】
2011083999.tif 000004
【図３】
2011083999.tif 000005
【図４】
2011083999.tif 000006
【図５】
2011083999.tif 000007
【図６】
2011083999.tif 000008
【図７】
2011083999.tif 000009
【図８】
2011083999.tif 000010